(57)【要約】【課題】美肌液や育毛液などの溶液を効率よく皮膚や頭皮に浸透させ、さらにマッサージにより血液やリンパ液の流れを促進して美肌、育毛、痩身などの効果があるトリートメントプローブを提供する。【解決手段】ヘッド部１の内側に筒状のヘッダ２を収容し、ヘッダ２から分岐する複数のノズル３をヘッド部１に穿った縦一列の通孔ａに差し込む。ヘッダ２は、開口部に先端を断面半円形状に切欠した弁棒４を差し込み、この弁棒４を回転してヘッダ２の入口孔ｂを開閉する。ヘッダ２の入口孔ｂには、ヘッド部１の後方に配置した容器５の出口管ｃを差し込む。ヘッド部１の内側は、ヘッダ２の他に、エアポンプ６と振動モータ７を取り付ける。エアポンプ６は、チューブ８を介して容器５の空気孔ｄに連結する。容器５は、背面を開口して蓋９を取り付け、この蓋９を開けて美肌液や育毛液などの溶液を注入する。この他、グリップ部１０にプッシュボタン１１とマッサージボタン１２を取り付け、グリップ部１０の側面には電極１３を張り付け、ヘッド部１の背面にパネル面１４を設ける。【選択図】　　　図２
2004121327.tif 000002
【特許請求の範囲】
【請求項１】
ヘッド部のノズルから溶液を吐出するプローブであって、
前記ノズルを有するヘッダと、
このヘッダに接続する容器と、
この容器に入れた溶液を押し出すエアを供給するエア供給手段と、
を備えてなるトリートメントプローブ。
【請求項２】
前記ヘッド部に多数のブリッスルを植毛したブラシを取り付けてなる請求項１記載のトリートメントプローブ。
【請求項３】
前記ヘッド部に皮膚や頭皮に接触して生体を電気的に刺激する電流を流す導電体を取り付けてなる請求項１記載のトリートメントプローブ。
【請求項４】
前記ヘッド部に皮膚や頭皮をマッサージする振動体を取り付けてなる請求項１記載のトリートメントプローブ。
【請求項５】
前記エア供給手段にエアの供給を制御するスイッチを接続して溶液の吐出量を調節可能にしてなる請求項１記載のトリートメントプローブ。
【請求項６】
前記ノズルを取り外し可能にしてなる請求項１記載のトリートメントプローブ。
【請求項７】
前記ヘッダを取り外し可能にしてなる請求項１記載のトリートメントプローブ。
【請求項８】
前記容器を交換して溶液の変更を可能にしてなる請求項１記載のトリートメントプローブ。
【発明の詳細な説明】
【０００１】
【発明の属する技術分野】
本発明は、ヘッド部のノズルから溶液を吐出して皮膚や頭皮をトリートメントするトリートメントプローブに関する。
【０００２】
【発明が解決しようとする課題】
従来より、美肌や育毛のために美肌液や育毛液などの溶液を皮膚や頭皮に振り掛けて手やブラシで摺り込むことが行われている。
溶液は毛穴の奥や毛根に十分浸透させる必要があり、特に頭皮の場合は振り掛けるだけでは毛髪が邪魔して毛根まで行き渡たらない。
さらに、毛根より深いところにある毛母細胞までは容易に到達しない。
また、皮膚や頭皮をマッサージすると血行を促進して皮膚や頭皮を活性化する美肌効果や育毛効果があり、全身のリンパ液をスムーズに流すマッサージを行なえば痩身効果もあるが、手やブラシを使って皮膚や頭皮を擦るだけでは、気休め程度であまり効果がない。
【０００３】
そこで本発明は、美肌液や育毛液などの溶液を効率よく皮膚や頭皮に浸透させ、さらにマッサージにより血液やリンパ液の流れを促進して美肌、育毛、痩身などの効果があるトリートメントプローブを提供することを目的になされたものである。
【０００４】
【課題を解決するための手段】
かかる目的を達成するために、本発明は以下のように構成した。
【０００５】
すなわち、請求項１の発明は、ヘッド部のノズルから溶液を吐出するプローブであって、
前記ノズルを有するヘッダと、
このヘッダに接続する容器と、
この容器に入れた溶液を押し出すエアを供給するエア供給手段と、
を備えてなるトリートメントプローブである。
請求項２の発明は、前記ヘッド部に多数のブリッスルを植毛したブラシを取り付けてなる請求項１記載のトリートメントプローブである。
請求項３の発明は、前記ヘッド部に皮膚や頭皮に接触して生体を電気的に刺激する電流を流す導電体を取り付けてなる請求項１記載のトリートメントプローブである。
請求項４の発明は、前記ヘッド部に皮膚や頭皮をマッサージする振動体を取り付けてなる請求項１記載のトリートメントプローブである。
請求項５の発明は、前記エア供給手段にエアの供給を制御するスイッチを接続して溶液の吐出量を調節可能にしてなる請求項１記載のトリートメントプローブである。
請求項６の発明は、前記ノズルを取り外し可能にしてなる請求項１記載のトリートメントプローブである。
請求項７の発明は、前記ヘッダを取り外し可能にしてなる請求項１記載のトリートメントプローブである。
請求項８の発明は、前記容器を交換して溶液の変更を可能にしてなる請求項１記載のトリートメントプローブである。
【０００６】
【発明の実施の形態】
以下に図面を参照して本発明の実施の形態について説明する。
【０００７】
図１〜３に、本発明を実施したトリートメントプローブの正面図と側面の一部断面図と背面図を示す。
トリートメントプローブは、ヘッド部１の内側に筒状のヘッダ２を収容し、ヘッダ２から分岐する複数のノズル３をヘッド部１に穿った縦一列の通孔ａに差し込む。
これにより、ヘッダ２をヘッド部１の内側に固定し、ノズル３をヘッド部１の前方に突出させる。
また、ノズル３をヘッド部１の通孔ａから引き抜いてヘッダ２を取り外し、ヘッダ２を洗浄したり交換できるようにする。
ノズル３も先細になっていて詰まり易いため、同様にヘッダ２から引き抜いて取り外し、洗浄したり交換できるようにする。
【０００８】
ヘッダ２は、開口部に先端を断面半円形状に切欠した弁棒４を差し込み、この弁棒４を回転してヘッダ２の入口孔ｂを開閉する。
ヘッダ２の入口孔ｂには、ヘッド部１の後方に配置した容器５の出口管ｃを差し込む。
これにより、容器５をヘッダ２に連結すると共に、容器５の出口管ｃをヘッダ２の入口孔ｂから引き抜いて容器５を取り外し、容器５を洗浄したり交換できるようにする。
【０００９】
ヘッド部１の内側は、ヘッダ２の他に、エア供給手段としてのエアポンプ６と振動モータ７を取り付ける。
振動モータ７は、機械的な振動以外に皮膚や頭皮を洗浄して溶液を浸透させる効果のある超音波を発生する圧電素子などを用いてもよい。
エアポンプ６は、チューブ８を介して容器５の空気孔ｄに連結する。
容器５は、背面を開口して蓋９を取り付け、この蓋９を開けて美肌液や育毛液などの溶液を注入する。
この他、グリップ部１０にプッシュボタン１１とマッサージボタン１２を取り付け、グリップ部１０の側面には電極１３を張り付け、ヘッド部１の背面にパネル面１４を設ける。
パネル面１４には、電源のオン・オフと直流電源の極性およびトリートメントモードを切換えるパワーボタン１５と、直流電源の電圧レベルを切換えるレベルボタン１６と、トリートメントモードと直流電源の電圧レベルの状態を表示するＬＥＤランプ１７、１８をそれぞれ配置する。
【００１０】
図４〜５に、ヘッド部にブラシを取り付けたトリートメントプローブの正面図と側面の一部断面図を示す。
トリートメントプローブは、ヘッド部１の周辺に溝ｅを巡らせ、この溝ｅに外周を嵌合させてブラシ基板２０を取り付ける。
ブラシ基板２０には、縦一列の通孔ｆを穿ち、この通孔ｆを通してヘッド部１から突起するノズル３をブラシ基板２０の前方に突出させる。
ブラシ基板２０は、弾力のある柔軟な導電性シリコンゴムなどで形成し、多数の細孔ｇを穿ってその一つひとつに基端部を挿入して多数のブリッスル２１を植毛する。
ブラシ基板２０をヘッド部１に取り付けるときは、弓形に湾曲させて底面を浮上させる。
これにより、ブラシ基板２０が凹んでブリッスル２１の先端が頭皮に当たるときの当たりを柔らかくすると共に、ブリッスル２１が沈んでノズル３と同じ高さになり、ノズル３の先端が容易に頭皮に到達するようになる。
ブリッスル２１は、導電性のゴムやエンジニアリングプラスチックなどの樹脂、あるいはステンレスや銅などの金属で形成し、先端をアール状にして頭皮に当たる感触を柔軟にする。
【００１１】
ブラシ基板２０は、また、直流電源（図示しない）の一方の端子に接続し、他方の端子を電極１３に接続する。
これにより、ブラシ基板２０と電気的に一体のブリッスル２１と、電極１３の間に直流電流を流す。
直流電源は、ブラシ基板２０を分割して絶縁した領域にそれぞれ端子を接続してブリッスル２１同士の間に正負の直流電流を流してもよい。
また、直流以外に頭皮を刺激して血行を促進するマッサージ効果のある低周波や高周波などの交流電流を流してもよい。
電極１３は、アルミ、ジュラルミン、ステンレス、銅などの金属で形成し、表面に樹脂クロムメッキなどの表面処理を施す。
あるいは、導電性のゴムやエンジニアリングプラスチックなどの樹脂で形成してもよい。
【００１２】
本発明を実施したトリートメントプローブは以上のような構成で、ブラシを取り付けて頭皮をブラッシングするときは、まず、容器５の蓋９を開いて中に育毛液などの溶液を入れる。
次に、容器５の出口管ｃをヘッダ２の入口孔ｂに差し込んで容器５をヘッダ２に連結する。
次に、弁棒４を回転してヘッダ２の入口孔ｂを開き、容器５とヘッダ２を連通させる。
次に、パワーボタン１５を押して電源を投入し、ブリッスル２１を頭皮に押し当ててノズル３の先端を頭皮に接触させる。
この状態でブラッシングしながらプッシュボタン１１を押すと、エアポンプ６が作動して容器５内に空気が送り込まれる。
この空気は容器５内の溶液をヘッダ２に押し出し、押し出された溶液がノズル３の先端から均一に吐出し、毛髪に邪魔されることなく効率よく毛根を潤す。
エアポンプ６が停止して容器５内の圧力が大気圧に戻ると、ヘッダ２内の溶液はノズル３の先から漏出しようとするが、ヘッダ２が狭く溶液の総量が少ないことに加えて表面張力に拘束されるため、溶液はヘッダ２内に留まり、ノズル３の先から漏れ出ることはない。
また、弁棒４を回転してヘッダ２の入口孔ｂを閉じておけば、ノズル３の先から不用意に溶液が漏れ出ることもない。
溶液の吐出は、エアポンプ６の代わりにソレノイドを設け、ヘッダ２と容器５の間をこのソレノイドで開放して溶液が流れるようにしてもよい。
【００１３】
頭皮に直流電流を流しながらブラッシングするときは、パワーボタン１５を押して電源を投入し、直流電流の極性を陽極（＋）と陰極（−）のいずれかに切換える。
次に、グリップ部１０を把持し、電極１３を手のひらに接触させてブリッスル２１を頭皮に押し当てる。
これにより、電極１３とブリッスル２１の間の回路が閉じ、頭皮に直流電流が流れる。
頭皮に直流電流を流すと、電気分解により表面の水分や塩分を分解してイオンを発生し、頭皮に水溶性の生成物を浸透させる働きがある。
直流電流は、陽極（＋）と陰極（−）の２つの極性があり、陽極は頭皮に酸性反応を生じさせて、神経を沈静させ、血液の循環を抑え、組織を引き締めて毛穴を閉じる働きをする。
これに対し陰極は、頭皮にアルカリ反応を起こして神経を刺激し、血液の循環を盛んにし、組織を柔らかくして毛穴を開く働きをする。
このため、育毛液などの溶液を頭皮に浸透させるときに使用する。
【００１４】
頭皮をマッサージしながらブラッシングするときは、パワーボタン１５を押して電源を投入し、マッサージボタン１２を押してブリッスル２１を頭皮に押し当てる。これにより、振動モータ７が作動してヘッド部１が振動し、その振動がブラシ基板２０に伝わってブリッスル２１を振動させる。
この振動が頭皮に伝わり、頭皮をマッサージする。
【００１５】
育毛トリートメントをしながらブラッシングするときは、パワーボタン１５を押して電源を投入し、グリップ部１０を把持して電極１３を手のひらに接触させてブリッスル２１を頭皮に押し当てる。
トリートメントモードには、頭皮にマイナス（−）電流を流して組織を柔らかくし、毛穴を開いて毛穴の奥の汚れや皮脂を取り除くクレンジングモードと、頭皮をバイブレーション（振動）しながら溶液を吐出し、頭皮の毛穴の奥まで溶液を浸透させるスプリンクルモードと、頭皮にマイナス（−）電流を流しながらバイブレーション（振動）させて頭皮の表面から深部までマッサージし、最後にプラス（＋）電流を流して頭皮を引き締めるパッティングモードがある。
また、直流電流の電圧レベルには、例えば３Ｖ、５Ｖ、１０Ｖの３段階がある。
【００１６】
電源投入時は、最初にクレンジングモードが設定され、クレンジングモードのトリートメントが開始する。
クレンジングモードは、図６（ａ）に示すように、最初にマイナス（−）電流を例えば５５秒間流して毛穴を開き、次に、プラス（＋）のパルス電流を例えば１０秒間流していったん頭皮を引き締め、最後に、マイナス（−）電流を例えば５５秒間流して毛穴を開くトリートメントを例えば２分間行う。
【００１７】
クレンジングが終わると、次に、スプリンクルモードのトリートメントが開始する。
スプリンクルモードは、図６（ｂ）に示すように、例えば１秒間の休止時間を挟んで振動モータ７を間欠作動し、バイブレーション（振動）とともに溶液を吐出するトリートメントを例えば１分間行う。
【００１８】
スプリンクルが終わると、次に、パッティングモードのトリートメントが開始する。
パッティングモードは、図６（ｃ）に示すように、最初にマイナス（−）とプラス電流（＋）を例えば６０秒間交互に流して毛穴を開閉し、次に、プラス（＋）の電流を例えば６０秒間流して頭皮を引き締めるトリートメントを例えば２分間行う。
このとき同時に例えば１秒間の休止時間を挟んで振動モータ７を間欠作動し、バイブレーション（振動）によって頭皮をマッサージする。
【００１９】
なお、トリートメントの最中にパワーボタン１５を押して任意のタイミングで好みのトリートメントモードに切換えることができる。
また、トリートメントの最中にレベルボタン１６を押して任意のタイミングで直流電源を好みの電圧レベルに切換えることができる。
【００２０】
図７〜８に、ヘッド部に導電体を取り付けたトリートメントプローブの正面図と側面の一部断面図を示す。
トリートメントプローブは、ヘッド部１の周辺に溝ｅを巡らせ、この溝ｅに外周を嵌合させて導電体基板３０を取り付ける。
導電体基板３０は、中心を突起させて縦一列の通孔ｆを穿ち、この通孔ｆを通してヘッド部１から突起するノズル３を導電体基板３０の内側に収納する。
導電体基板３０は、突起部をコットン３１で被覆し、その外周にリング３２を嵌めてコットン３１を固定する。
【００２１】
本発明を実施したトリートメントプローブは以上のような構成で、導電体を取り付けて皮膚をケアするときは、まず、容器５の蓋９を開いて中に美肌液などの溶液を入れる。
そして、コットン３１を皮膚に当ててプローブを移動しながらプッシュボタン１１を押してノズル３から溶液を吐出する。
これにより、適量の溶液が吐出され、満遍なく皮膚を潤す。
また、導電体基板３０に直流電流を流して皮膚を刺激し、皮膚の表面から深部まで広範囲に溶液を浸透させる。
また、導電体基板３０を振動させて血行を促進し、より多くの溶液を皮膚に浸透させる。
導電体基板３０には、直流以外に皮膚を刺激して血液やリンパ液の流れを促進するマッサージ効果のある低周波や高周波などの交流電流を流してもよい。
【００２２】
【発明の効果】
以上説明したように、本発明によれば、ノズルの先が皮膚や頭皮に接触して効率よく溶液を塗布するので、溶液が十分毛穴の奥や毛根に行き渡り、高価な溶液を無駄にすることなく少量で十分なトリートメント効果が得られるようになる。また、皮膚や頭皮に流れる直流電流が溶液をイオンに分解して有効成分を効率よく深部まで浸透させるので、より効果的なトリートメントができるようになる。
また、ヘッド部が振動して皮膚や頭皮をマッサージするので、血行を促進してトリートメント効果をさらに増大させることができる。
また、従来は溶液を振り掛けながら皮膚のマッサージや頭皮のブラッシングを行うため、両手が塞がれてやり難かったが、本発明のトリートメントプローブは片手で両方の操作ができるので、操作が楽になり、快適なトリートメントができるようになる。
【図面の簡単な説明】
【図１】本発明を実施したトリートメントプローブの正面図である。
【図２】図１の側面の一部断面図である。
【図３】図１の背面図である。
【図４】ヘッド部にブラシを取り付けたトリートメントプローブの正面図である。
【図５】図４の側面の一部断面図である。
【図６】育毛トリートメントの動作電流のタイミングチャートである。
【図７】ヘッド部に導電体を取り付けたトリートメントプローブの正面図である。
【図８】図７の側面の一部断面図である。
【符号の説明】
１　　　　　　ヘッド部
２　　　　　　ヘッダ
３　　　　　　ノズル
４　　　　　　弁棒
５　　　　　　容器
６　　　　　　エアポンプ
７　　　　　　振動モータ
８　　　　　　チューブ
９　　　　　　蓋
１０　　　　　　グリップ部
１１　　　　　　プッシュボタン
１２　　　　　　マッサージボタン
１３　　　　　　電極
１４　　　　　　パネル面
１５　　　　　　パワーボタン
１６　　　　　　レベルボタン
１７、１８　　　　ＬＥＤランプ
２０　　　　　　ブラシ基板
２１　　　　　　ブリッスル
３０　　　　　　導電体基板
３１　　　　　　コットン
３２　　　　　　リング
ａ　　　　　　通孔
ｂ　　　　　　入口孔
ｃ　　　　　　出口管
ｄ　　　　　　空気孔
ｅ　　　　　　溝
ｆ　　　　　　通孔
ｇ　　　　　　細孔
【図１】
2004121327.tif 000003
【図２】
2004121327.tif 000004
【図３】
2004121327.tif 000005
【図４】
2004121327.tif 000006
【図５】
2004121327.tif 000007
【図６】
2004121327.tif 000008
【図７】
2004121327.tif 000009
【図８】
2004121327.tif 000010